(57)【特許請求の範囲】
【請求項１】
使用者の頭部が枕に乗せられた状態で前記使用者の背中が当てられるものであり、前記枕と別体とされた睡眠補助具であって、
第１方向に延びる第１部分と、
前記第１部分の前記第１方向の一端から他端にまで湾曲して延びる第２部分と、
を備え、
前記第２部分は、前記第１部分から離れるに従って徐々に厚くなっており、
前記第１部分が直線状とされており、前記第２部分が円弧状に湾曲しており、
上側を向く第３部分と、裏側を向く第４部分とを有し、
前記第２部分及び前記第３部分が軟質ウレタンとされており、前記第４部分が硬質ウレタンとされている、
睡眠補助具。
【請求項２】
前記第２部分の前記第１部分から最も遠い箇所と、前記第１部分との間の距離は、３５ｃｍより長く且つ５０ｃｍ以下である、
請求項１に記載の睡眠補助具。
【請求項３】
前記第２部分の前記第１部分から最も遠い箇所の厚さは、５ｃｍ以上且つ１５ｃｍ以下である、
請求項１又は２に記載の睡眠補助具。
【発明の詳細な説明】
【技術分野】
【０００１】
本発明は、使用者の背中の下に配置されて使用者の睡眠を補助する睡眠補助具に関する。
【背景技術】
【０００２】
近年、睡眠時無呼吸症候群を患った患者に対し、横寝をさせることによって症状を緩和できることが着目されている。これは、横寝をする場合には、仰向けで寝たときと比較して、舌根沈下が生じにくいことによる。すなわち、横寝をすることによって、舌根沈下による気道の閉塞が回避され、これにより無呼吸症の症状が緩和されることが解明されている。しかしながら、横寝を行うと肩口が圧迫されることになる。従って、横寝で無呼吸症の症状を緩和させたとしても、肩こり又は筋肉痛が生じることがあり、横寝を長時間継続することは困難である。
【０００３】
実用新案登録第３１６４５６６号公報には、横寝睡眠専用の枕が記載されている。この枕は、使用者の頭部が乗せられる枕部分と、使用者の背中が乗せられる高さ調整板とを備える。枕部分と高さ調整板とは一体となっており、枕部分と高さ調整板との間には溝が設けられている。この溝は、使用者の肩口を入り込ませるためのものであり、この溝に肩口を入れることによって肩口への圧迫を回避している。
【先行技術文献】
【特許文献】
【０００４】
【特許文献１】実用新案登録第３１６４５６６号公報
【発明の概要】
【発明が解決しようとする課題】
【０００５】
前述した横寝専用の枕では、枕部分及び高さ調整板が共に直方体状に形成されており、溝の周辺に枕部分及び高さ調整板の角部が存在する。従って、使用者の身体が当該角部に当接することがあり、これにより使用者の身体を圧迫する懸念がある。よって、寝心地の点で改善の余地がある。また、前述した枕では、枕部分と高さ調整板とが一体となっているので、枕部分に対する高さ調整板の位置を自由に調整できない。従って、枕の使用性の点においても改善の余地がある。
【０００６】
本発明は、寝心地をよくすることができると共に使用性を向上させることができる睡眠補助具を提供することを目的とする。
【課題を解決するための手段】
【０００７】
本発明の一側面に係る睡眠補助具は、使用者の頭部が枕に乗せられた状態で使用者の背中が当てられるものであり、枕と別体とされた睡眠補助具であって、第１方向に延びる第１部分と、第１部分の第１方向の一端から他端にまで湾曲して延びる第２部分と、を備え、第２部分は、第１部分から離れるに従って徐々に厚くなっており、第１部分が直線状とされており、第２部分が円弧状に湾曲しており、上側を向く第３部分と、裏側を向く第４部分とを有し、第２部分及び第３部分が軟質ウレタンとされており、第４部分が硬質ウレタンとされている。
【０００８】
この睡眠補助具は、使用者の背中の下に配置されることにより、使用者の背中を軽く持ち上げるので、使用者に横寝を促すことができる。従って、舌根沈下を生じにくくすることができ、気道の閉塞を防止することができるので、無呼吸症の症状を緩和させることができる。また、この睡眠補助具では、第１方向に延びる第１部分と、第１部分の一端から他端に向かって湾曲して延びる第２部分とを備えており、第１部分から離れるに従って徐々に厚くなっている。よって、使用者の身体を睡眠補助具の傾斜面に乗せることにより、使用者の寝姿勢を安定させることができるので、使用者の寝心地をよくすることができる。また、この睡眠補助具は、第１部分の一端から他端に向かって湾曲して延びる第２部分を備えることにより、使用者に当接しうる角部の数を減らすことができるので、この点でも寝心地をよくすることができる。更に、枕と別体であることにより、睡眠補助具の位置を枕に対して変更することができ、枕に対する位置調整を自由に行うことができる。よって、使用性を向上させることができる。
【０００９】
また、この睡眠補助具において、第２部分の第１部分から最も遠い箇所と、第１部分との間の距離は、３５ｃｍより長く且つ５０ｃｍ以下であってもよい。この場合、第１部分を使用者の腰の付近で身体の横方向に延びるように配置するときに、第２部分の第１部分から最も離れた箇所は、使用者の頸部の下部又は背中の上端辺りに位置することになる。従って、使用者の背中及び腰が睡眠補助具に滑らかに接するので、背中及び腰に対する負担を軽減させることができ、寝心地を一層良好にすることができる。
【００１０】
また、この睡眠補助具において、第２部分の第１部分から最も遠い箇所の厚さは、５ｃｍ以上且つ１５ｃｍ以下であってもよい。この箇所の厚さを５ｃｍ以上とすることにより、使用者の背中を持ち上げてより確実に横寝を促すことができるので、無呼吸症の症状を一層確実に緩和させることができる。また、上記の箇所の厚さを５ｃｍ以上且つ１５ｃｍ以下とすることにより、この箇所の厚さを枕の厚さに近づけることができる。従って、この箇所が枕に隣接するように睡眠補助具を配置することにより、使用者の頭部及び背中のそれぞれを、枕及び睡眠補助具のそれぞれに滑らかに配置することができる。よって、使用者の寝心地を一層良好にすることができる。
【発明の効果】
【００１１】
本発明によれば、寝心地をよくすることができると共に使用性を向上させることができる。
【図面の簡単な説明】
【００１２】
【図１】第１実施形態に係る睡眠補助具の使用状態を示す平面図である。
【図２】図１の睡眠補助具及び枕を示す側面図である。
【図３】図１の睡眠補助具を上方から見た斜視図である。
【図４】図１の睡眠補助具を図３とは異なる方向から見た斜視図である。
【図５】第２実施形態に係る睡眠補助具の使用状態を示す平面図である。
【図６】第３実施形態に係る睡眠補助具の使用状態を示す平面図である。
【図７】第４実施形態に係る睡眠補助具の使用状態を示す平面図である。
【発明を実施するための形態】
【００１３】
以下、図面を参照しながら実施形態に係る睡眠補助具について説明する。以下の説明において、同一又は相当する要素には同一の符号を付し、重複する説明を省略する。
【００１４】
（第１実施形態）
図１に示されるように、睡眠補助具１は、敷き布団Ｆに置かれるものであり、使用者Ｍの背中が乗せられて使用される。使用者Ｍは、例えば、睡眠時無呼吸症を患っている患者であり、睡眠補助具１は、使用者Ｍに横寝を促して無呼吸症を緩和させる機能を有する。睡眠補助具１は、使用者Ｍに横寝をさせて使用者Ｍの舌根沈下を抑制し、使用者Ｍのいびきを抑制する機能も有する。
【００１５】
睡眠補助具１は、枕Ｐと共に用いられる。睡眠補助具１は、枕Ｐとは別体とされている。睡眠補助具１は、例えば、枕Ｐとの間に隙間Ｓを空けた状態で使用されるが、枕Ｐに接触させた状態で使用されてもよい。また、睡眠補助具１は、カバーに収容されて使用される。枕Ｐは、例えば通常の枕であり、枕Ｐの形状及び大きさについては特に限定されない。枕Ｐには使用者Ｍの頭部Ｍ１及び頸部Ｍ２が乗せられ、睡眠補助具１には、使用者Ｍの背中Ｍ３が乗せられる。睡眠補助具１は、半円状に形成される。
【００１６】
睡眠補助具１は、敷き布団Ｆの幅方向（第１方向Ｄ１）に延びる第１部分２と、第１部分２の一端２ａから他端２ｂにまで湾曲して延びる第２部分３とを備えている。第１部分２及び第２部分３は、睡眠補助具１の側面（水平方向を向く面）を構成する。第２部分３は、敷き布団Ｆの長手方向（第２方向Ｄ２）に湾曲して延びている。
【００１７】
睡眠補助具１は、例えば、第１部分２が使用者Ｍの腰Ｍ４の近くに位置し、第２部分３が使用者Ｍの頸部Ｍ２の下部又は背中Ｍ３の上端が位置するように配置される。第１部分２の長さは、例えば８０ｃｍであるが、適宜変更可能である。
【００１８】
図２は、敷き布団Ｆに置かれた枕Ｐ及び睡眠補助具１を示す側面図である。図２に示されるように、枕Ｐの高さは概ね一様とされている。睡眠補助具１は、その第１部分２が枕Ｐの反対側を向くと共に、第２部分３が枕Ｐ側を向くように配置され、この状態において、枕Ｐに向かうに従って徐々に高くなっている。
【００１９】
睡眠補助具１の枕Ｐとの反対側に位置する第１部分２が最も低い部位とされている。睡眠補助具１は、第１部分２から枕Ｐに向かうに従って徐々に高くなっている。睡眠補助具１の最も高い箇所Ａは、枕Ｐの高さと同程度、又は枕Ｐの高さよりも若干低い程度の高さである。また、箇所Ａは、睡眠補助具１の斜面（後述する第３部分４）の延長上に枕Ｐの上端Ｐ１が存在する程度の高さであってもよい。このように、睡眠補助具１の高さは、使用者Ｍの頭部Ｍ１側で最も高くなると共に、使用者Ｍの腰Ｍ４側で最も低くなっている。よって、睡眠補助具１の高さは、頭部Ｍ１から腰Ｍ４に向かうに従って、徐々に低くなっている。
【００２０】
図３は、睡眠補助具１を第２部分３側から見た斜視図であり、図４は、睡眠補助具１を第１部分２側から見た斜視図である。睡眠補助具１は、例えばウレタンによって構成されている。図３及び図４に示されるように、第１部分２は、第１方向Ｄ１に延びる長方形状を成している。第２部分３は、第１部分２の第１方向Ｄ１の一端２ａから他端２ｂにまで湾曲して延びている。例えば、第２部分３は、一端２ａから第２方向Ｄ２に円弧状に湾曲している。なお、第２部分３は、放物線状、又は半長円状に湾曲していてもよい。
【００２１】
第２部分３は、第１部分２から離れるほど厚くなっており、第２部分３の第１部分２から最も遠い箇所Ａの厚さＴ１が最も厚くなっている。箇所Ａの厚さＴ１は、例えば、５ｃｍ以上且つ１５ｃｍ以下である。箇所Ａの厚さＴ１は、７ｃｍ以上且つ１２ｃｍ以下であるのが好ましく、８ｃｍ以上且つ１０ｃｍ以下であるのがより好ましい。また、第１部分２が睡眠補助具１において最も薄い部位とされている。第１部分２の厚さＴ２は、例えば、１ｃｍ以上且つ３ｃｍ以下である。また、第１部分２は、厚さを有していなくてもよく（厚さＴ２が０に近くてもよく）、第１方向Ｄ１に延びる直線状とされていてもよい。
【００２２】
睡眠補助具１の上側には、第１部分２及び第２部分３に隣接する半円状の第３部分４が設けられており、睡眠補助具１の裏側には敷き布団Ｆに接触する半円状の第４部分５が設けられている。第１部分２、第３部分４及び第４部分５は平坦状であり、第２部分３は円弧状に湾曲している。例えば、第２部分３及び第３部分４は、軟質ウレタンとされており、第４部分５は、硬質ウレタンとされている。また、睡眠補助具１は、第２部分３、第３部分４及び第４部分５が互いに貼り合わされることによって形成される。
【００２３】
なお、睡眠補助具１を形成する手段としては、貼り合わせに限定されず、１枚のシート状のウレタン素材をカットすることによって睡眠補助具１が形成されてもよい。この場合、例えば、適度な硬度及び通気性を有する１枚のウレタン素材が用いられる。このように、１枚のウレタン素材をカットして睡眠補助具１を形成することにより、生産の効率化及びコストダウンを図ることができる。また、上記のウレタン素材に代えて、例えば、ポリエステル製の固綿を積層した素材等、他の素材を用いてもよい。
【００２４】
前述の軟質ウレタンは、硬質ウレタンと比較して、きめが粗く、通気性が良好であると共に高い柔軟性を有する。また、硬質ウレタンは、軟質ウレタンよりも、きめが細かく且つ硬質である。前述のように、睡眠補助具１の表面を構成する第２部分３及び第３部分４が軟質ウレタンであって、且つ、睡眠補助具１の裏面を構成する第４部分５が硬質ウレタンであることにより、下でしっかりと睡眠補助具１を支えると共に表面でソフトな触感を使用者Ｍに与え、高い通気性を確保することができる。
【００２５】
半円状とされた第３部分４の頂点（第２部分３の第１部分２から最も遠い箇所Ａ）から第１部分２までの距離Ｋは、例えば、３５ｃｍより長く且つ５０ｃｍ以下である。また、距離Ｋは、４０ｃｍ以上且つ４５ｃｍ以下であるのが好ましい。距離Ｋがこのような長さとされていることにより、箇所Ａを使用者Ｍの頭部Ｍ１側、第１部分２を腰Ｍ４側に配置したときに、箇所Ａは頸部Ｍ２の下部又は背中Ｍ３の上端に位置し、第１部分２は使用者Ｍの腰Ｍ４よりも少し上の部分（背中Ｍ３の下端部分）に位置する。
【００２６】
次に、本実施形態に係る睡眠補助具１から得られる効果について説明する。
【００２７】
図１に示されるように、睡眠補助具１は、使用者Ｍの背中Ｍ３の下に配置されることにより、使用者Ｍの背中Ｍ３を軽く持ち上げるので、使用者Ｍに横寝を促すことができる。従って、舌根沈下を生じにくくすることができ、気道の閉塞を防止することができるので、無呼吸症の症状を緩和させることができる。
【００２８】
また、睡眠補助具１では、第１方向Ｄ１に延びる第１部分２と、第１部分２の一端２ａから他端２ｂに向かって湾曲して延びる第２部分３とを備えており、第１部分２から離れるに従って徐々に厚くなっている。よって、第１部分２を使用者Ｍの腰Ｍ４付近で身体の横方向に延びるように配置すると、使用者Ｍの腰Ｍ４から頭部Ｍ１に向かうに従って睡眠補助具１の厚さを徐々に厚くすることができる。
【００２９】
よって、使用者Ｍの身体を睡眠補助具１の傾斜面（第３部分４）に乗せることにより、使用者Ｍの寝姿勢を安定させることができるので、使用者Ｍの寝心地をよくすることができる。また、睡眠補助具１は、第１部分２の一端２ａから他端２ｂに向かって湾曲して延びる第２部分３を備えることにより、使用者Ｍに当接しうる角部の数を減らすことができるので、この点でも寝心地をよくすることができる。更に、睡眠補助具１は、枕Ｐと別体であることにより、睡眠補助具１の位置を枕Ｐに対して変更することができ、枕Ｐに対する位置調整を自由に行うことができる。従って、睡眠補助具１の使用性を向上させることができる。
【００３０】
また、睡眠補助具１において、第２部分３の第１部分２から最も遠い箇所Ａと、第１部分２との間の距離Ｋは、３５ｃｍより長く且つ５０ｃｍ以下である。よって、第１部分２を使用者Ｍの腰Ｍ４の付近で身体の横方向に延びるように睡眠補助具１を配置するときに、第２部分３の第１部分２から最も離れた箇所Ａは、使用者Ｍの頸部Ｍ２の下部又は背中Ｍ３の上端辺りに位置することになる。従って、使用者Ｍの背中Ｍ３及び腰Ｍ４が睡眠補助具１に滑らかに接するので、背中Ｍ３及び腰Ｍ４に対する負担を軽減させることができ、寝心地を一層良好にすることができる。
【００３１】
また、睡眠補助具１において、第２部分３の第１部分２から最も遠い箇所Ａの厚さは、５ｃｍ以上且つ１５ｃｍ以下である。この箇所Ａの厚さＴ１を５ｃｍ以上とすることにより、使用者Ｍの背中Ｍ３を持ち上げてより確実に横寝を促すことができるので、無呼吸症の症状を一層緩和させることができる。
【００３２】
また、箇所Ａの厚さＴ１を５ｃｍ以上且つ１５ｃｍ以下とすることにより、箇所Ａの厚さＴ１を枕Ｐの厚さに近づけることができる。従って、この箇所Ａが枕Ｐに隣接するように睡眠補助具１を配置することにより、使用者Ｍの頭部Ｍ１、頸部Ｍ２及び背中Ｍ３のそれぞれを、枕Ｐ及び睡眠補助具１のそれぞれに滑らかに配置することができる。よって、使用者Ｍの寝心地を一層良好にすることができる。
【００３３】
ところで、従来、使用者Ｍに横寝を促す方法として、抱き枕を使用する方法があった。使用者が両腕でこの抱き枕を抱えるようにして横寝をすることにより、無呼吸症の症状を緩和させている。しかしながら、抱き枕を抱えて横寝をした場合、寝返りを打つときに抱き枕を持ち上げなければならないので、掛け布団が持ち上げられてしまい、快適な眠りが妨げられるという問題がある。これに対し、本実施形態に係る睡眠補助具１は、抱き枕を用いずに無呼吸症の症状を抑えることができるため、快適な眠りを維持することができる。
【００３４】
また、睡眠補助具１は、第２部分３が、第１部分２の一端２ａから第２方向Ｄ２に円弧状に湾曲して他端２ｂに接続している。このように第２部分３が円弧状に湾曲しているので、使用者Ｍは、肩を圧迫させずに横寝をすることができる。すなわち、使用者Ｍが横寝をしたとき、使用者Ｍの肩は第２部分３の円弧状部分の外側に位置することになるので、使用者Ｍの肩への圧迫が軽減される。従って、使用者Ｍの肩への圧迫感を低減させることができる。第２部分３が、放物線状又は半長円状に湾曲している場合にも同様の効果が得られる。
【００３５】
また、睡眠補助具１は、その高さが、使用者Ｍの頸部Ｍ２から腰Ｍ４に向かうに従って徐々に低くなるように配置される。従って、使用者Ｍが仰向けで寝たとしても、寝違えを回避して使用者Ｍに心地良い眠りを提供できる。また、睡眠補助具１の高さが頸部Ｍ２から腰Ｍ４に向かって徐々に低くなることにより、逆流性胃炎の症状を緩和することができると共に、腰Ｍ４への負担も減らせるので、一層快適な寝心地を使用者Ｍに提供することができる。
【００３６】
また、睡眠補助具１は、傾斜して配置されると共に使用者Ｍの背中Ｍ３が乗せられる第３部分４が平坦状とされているので、使用者Ｍの身体に付与される圧力を低減させることができる。更に、睡眠補助具１が、第１部分２、第２部分３、第３部分４及び第４部分５の４面で構成されているため、貼り合わせる部材の数を少なくすることができ、量産しやすい睡眠補助具１とすることができる。また、前述したように、睡眠補助具１が貼り合わせで形成されず、睡眠補助具１が１枚のウレタン素材がカットされて形成される場合には、生産の効率化及びコストダウンを図ることができる。
【００３７】
（第２実施形態）
次に、第２実施形態について図５を参照しながら説明する。第２実施形態は、睡眠補助具１の使用態様が第１実施形態と異なっている。以降の説明では、前述と重複する説明を省略する。図５に示されるように、第２実施形態では、敷き布団Ｆの上に２つの睡眠補助具１が配置される。２つの睡眠補助具１は、敷き布団Ｆの長手方向に伸びる軸線Ｌ１に対して互いに対称となるように配置される。
【００３８】
各睡眠補助具１は、第１部分２が使用者Ｍの身体に沿って延びるように配置される。２つの睡眠補助具１の第１部分２は、敷き布団Ｆの幅方向に互いに対向すると共に、各第２部分３は、各第１部分２から敷き布団Ｆの幅方向の外側に湾曲している。２つの第１部分２の間には、間隔Ｈが空けられており、間隔Ｈは、敷き布団Ｆの長手方向に沿う直線状とされている。
【００３９】
以上、第２実施形態では、使用者Ｍの背中Ｍ３の下に２つの睡眠補助具１が配置されることにより、使用者Ｍの背中Ｍ３が軽く持ち上がるので、第１実施形態と同様の効果が得られる。また、第２実施形態でも、使用者Ｍの肩が第２部分３の円弧状部分の外側に位置するので、使用者Ｍの肩への圧迫感を低減させることができる。更に、使用者Ｍの身体の両側に、第１部分２から離れるにつれて高くなる２つの睡眠補助具１が配置されるので、使用者Ｍが横寝をするときに睡眠補助具１に接触する身体の面積を大きくすることができる。
【００４０】
従って、横寝をしたときに身体に加わる圧力を低減させることができると共に寝姿勢を安定させることができるので、横寝をしたときの寝心地を一層良好にすることができる。また、２つの睡眠補助具１の間に間隔Ｈが設けられるので、仰向けで寝る領域を間隔Ｈとして確保することができる。従って、使用者Ｍが仰向けで寝たとしても良好な寝心地を使用者Ｍに与えることができる。なお、第２実施形態では、２個の睡眠補助具１を接触させて間隔Ｈを無くしてもよいし、２個の睡眠補助具１のうち一方の睡眠補助具１を省略することも可能である。
【００４１】
（第３実施形態）
続いて、第３実施形態について図６を参照しながら説明する。第３実施形態は、２個の睡眠補助具１のうち、１個の睡眠補助具１を枕Ｐの下に配置する点が前述の各実施形態と異なっている。この睡眠補助具１は、枕Ｐと敷き布団Ｆの間に配置されている。このように睡眠補助具１を枕Ｐの下に配置することにより、枕Ｐの高さが低い場合であっても、使用者Ｍの頭部Ｍ１の高さを高く維持することができる。従って、これまでの実施形態と同様の効果が得られる。
【００４２】
（第４実施形態）
第４実施形態について図７を参照しながら説明する。第４実施形態は、２個の睡眠補助具１のうち、１個の睡眠補助具１を使用者Ｍの脚部Ｍ５の下に配置している。図７に示されるように、２つの睡眠補助具１は、敷き布団Ｆの幅方向に伸びる軸線Ｌ２に対して互いに対称となるように配置される。各睡眠補助具１は、第１部分２が使用者Ｍの腰Ｍ４に沿って延びるように配置される。２つの睡眠補助具１の第１部分２は、敷き布団Ｆの長手方向に互いに対向すると共に、各第２部分３は、各第１部分２から敷き布団Ｆの長手方向に湾曲している。
【００４３】
以上、第４実施形態でも、１個の睡眠補助具１は、使用者Ｍの背中Ｍ３の下に配置されるので、前述した各実施形態と同様の効果が得られる。また、第５実施形態では、使用者Ｍの脚部Ｍ５の下に睡眠補助具１が配置される。従って、使用者Ｍは、睡眠補助具１の上に脚部Ｍ５を乗せることができるので、一層快適な寝心地が得られる。
【００４４】
以上、本発明の実施形態について説明したが、本発明は、前述した各実施形態に限定されることなく、請求項に記載した要旨を変更しない範囲で変形してもよい。すなわち、本発明は、特許請求の範囲に記載した要旨を変更しない範囲で種々の変形が可能である。
【００４５】
例えば、前述の各実施形態では、１個又は２個の睡眠補助具１が用いられる例について説明したが、３個以上の睡眠補助具１が用いられてもよい。また、睡眠補助具１の配置態様も前述の各実施形態に限定されず適宜変更可能である。
【００４６】
また、前述の実施形態では、第１部分２が直線状に延びると共に、第２部分３が円弧状に延びる例について説明したが、第１部分２、第２部分３、第３部分４及び第４部分５の形状及び大きさは適宜変更可能である。更に、前述の実施形態では、第２部分３及び第３部分４が軟質ウレタンであって、第４部分５が硬質ウレタンである例について説明したが、第２部分３、第３部分４及び第４部分５の材料についても適宜変更可能である。
【符号の説明】
【００４７】
１…睡眠補助具、２…第１部分、２ａ…一端、２ｂ…他端、３…第２部分、４…第３部分、５…第４部分、Ａ…箇所、Ｄ１…第１方向、Ｄ２…第２方向、Ｆ…敷き布団、Ｈ…間隔、Ｋ…距離、Ｌ１，Ｌ２…軸線、Ｍ…使用者、Ｍ１…頭部、Ｍ２…頸部、Ｍ３…背中、Ｍ４…腰、Ｍ５…脚部、Ｐ…枕、Ｐ１…上端、Ｓ…隙間。
【図１】
0006765870.tif 000002
【図２】
0006765870.tif 000003
【図３】
0006765870.tif 000004
【図４】
0006765870.tif 000005
【図５】
0006765870.tif 000006
【図６】
0006765870.tif 000007
【図７】
0006765870.tif 000008